(57)【要約】【課題】ねじ回し操作において、ねじ回し具のねじ回し部が、ねじ部材頂部のねじ回し部係合凹所から外れ難い状態を得ることができ、その割りには、製作費を安価に抑制できるねじ部材を提供し、該ねじ部材を回し操作するためのねじ回し具も提供する。【解決手段】頂部６１（７１）に、ねじ回し具５のねじ回し部５１ａ（５１ｂ）を係合させる凹所６１１（７１１）を有するねじ部材６（７）であって、凹所底に該ねじ回し具のねじ回し部から突出させた外れ止め突起５１１（５１２）を嵌合係合させるための穴６１２（７１２）を形成してあるねじ部材６（７）、及び該ねじ回し具５。【選択図】図３
2010084931.tif 000002
【特許請求の範囲】
【請求項１】
頂部にねじ回し具先端部のねじ回し部を係合させる凹所を有するねじ部材であって、該凹所の底に、該ねじ回し具のねじ回し部から突出させた外れ止め突起を嵌合係合させるための穴を形成してあることを特徴とするねじ部材。
【請求項２】
前記凹所は平面視多角形の凹所であり、該凹所底に前記外れ止め突起嵌合係合用穴が形成されており、断面形状が該凹所の平面視多角形状に相似形状のねじ回し部を有するとともに該ねじ回し部から突出した外れ止め突起を有するねじ回し具の該ねじ回し部を該凹所に、外れ止め突起を該凹所底の穴にそれぞれ嵌合係合させて該ねじ回し具による回し操作を行える請求項１記載のねじ部材。
【請求項３】
前記凹所は中心凹部と該中心凹部から放射状に突出する突出凹部とを含む凹所であり、該中心凹部底に前記外れ止め突起嵌合係合用穴が形成されており、断面形状が該凹所の平面視形状に相似形状のねじ回し部を有するとともに該ねじ回し部から突出した外れ止め突起を有するねじ回し具の該ねじ回し部を該凹所に、外れ止め突起を該中心凹部底の穴にそれぞれ嵌合係合させて該ねじ回し具による回し操作を行える請求項１記載のねじ部材。
【請求項４】
前記凹所は平面視十字形状の凹所であり、該十字形状凹所の底に前記外れ止め突起嵌合係合用穴が形成されており、該十字形状凹所に係合可能のプラス型ねじ回し部を有するとともに該ねじ回し部から突出した外れ止め突起を有するねじ回し具の該ねじ回し部を該十字形状凹所に、外れ止め突起を該十字形状凹所底の穴にそれぞれ嵌合係合させて該ねじ回し具による回し操作を行える請求項１記載のねじ部材                      
【請求項５】
前記凹所は平面視一直線状の凹所であり、該一直線状凹所の底に前記外れ止め突起嵌合係合用穴が形成されており、該一直線状凹所に係合可能のマイナス型ねじ回し部を有するとともに該ねじ回し部から突出した外れ止め突起を有するねじ回し具の該ねじ回し部を該一直線状凹所に、外れ止め突起を該一直線状凹所底の穴にそれぞれ嵌合係合させて該ねじ回し具による回し操作を行える請求項１記載のねじ部材
【請求項６】
被支持物品に設けられた雌ねじ部位に螺合されて回されることで該雌ねじ部位下方への突出量が調整される雄ねじ棒と、該雄ねじ棒を立設した台座とを含み、該雄ねじ棒を被支持物品の雌ねじ部位に螺合させる一方、該台座を物品支持基体上に設置することで該物品を該物品支持基体上に支持する物品支持脚における該雄ねじ棒であり、前記凹所が該雄ねじ棒の頂部に形成されており、該凹所底に前記外れ止め突起嵌合係合用穴が形成されている請求項１から５のいずれかに記載のねじ部材。
【請求項７】
頂部にねじ回し具先端部のねじ回し部を係合させる凹所を有するねじ部材の該凹所に係合させるねじ回し部を有するねじ回し具であって、該ねじ回し部から突出した、前記凹所の底に形成された外れ止め突起嵌合係合用穴に嵌合係合させるための外れ止め突起を有していることを特徴とするねじ回し具。
【請求項８】
前記ねじ回し部は断面多角形状を呈しており、該ねじ回し部から前記外れ止め突起が突出しており、平面視形状が該ねじ回し部の断面多角形状に相似形状の凹所を頂部に有するとともに該凹所底に前記外れ止め突起を嵌合係合させる穴を形成したねじ部材の該凹所に該ねじ回し部を、該凹所底の穴に該外れ止め突起を嵌合係合させて該ねじ部材を回し操作できる請求項７記載のねじ回し具。
【請求項９】
前記ねじ回し部は中心部分と該中心部分から放射状に突出する突出部分とを含んでおり、該中心部分から前記外れ止め突起が突出しており、平面視形状が該ねじ回し部の断面形状に相似形状の凹所を頂部に有するとともに該凹所底に前記外れ止め突起を嵌合係合させる穴を形成したねじ部材の該凹所に該ねじ回し部を、該凹所底の穴に該外れ止め突起を嵌合係合させて該ねじ部材を回し操作できる請求項７記載のねじ回し具。
【請求項１０】
前記ねじ回し部がプラスドイバ型ねじ回し具のプラス型ねじ回し部であり、該ねじ回し部先端から前記外れ止め突起が突出しており、平面視形状が十字形状を呈する凹所を頂部に有するとともに該凹所底に前記外れ止め突起を嵌合係合させる穴を形成したねじ部材の該凹所に該ねじ回し部を、該凹所底の穴に該外れ止め突起を嵌合係合させて該ねじ部材を回し操作できる請求項７記載のねじ回し具。
【請求項１１】
前記ねじ回し部がマイナスドライバ型ねじ回し具のマイナス型ねじ回し部であり、該ねじ回し部先端から前記外れ止め突起が突出しており、平面視形状が一直線状を呈する凹所を頂部に有するとともに該凹所底に前記外れ止め突起を嵌合係合させる穴を形成したねじ部材の該凹所に該ねじ回し部を、該凹所底の穴に該外れ止め突起を嵌合係合させて該ねじ部材を回し操作できる請求項７記載のねじ回し具。
【請求項１２】
被支持物品に設けられた雌ねじ部位に螺合されて回されることで該雌ねじ部位下方への突出量が調整される雄ねじ棒と、該雄ねじ棒を立設した台座とを含み、該雄ねじ棒を被支持物品の雌ねじ部位に螺合させる一方、該台座を物品支持基体上に設置することで該物品を該物品支持基体上に支持する物品支持脚における該雄ねじ棒であって、前記凹所が雄ねじ棒頂部に形成されており、該凹所底に前記外れ止め突起嵌合係合用穴が形成されているねじ部材を回し操作するためのねじ回し具であり、該凹所に係合させるねじ回し部を有するとともに該ねじ回し部から突出した、前記凹所の底に形成された外れ止め突起嵌合係合用穴に嵌合係合させるための外れ止め突起を有している請求項７から１１のいずれかに記載のねじ回し具。
【発明の詳細な説明】
【技術分野】
【０００１】
本発明はねじ回し具とそのねじ回し具により回すことができるねじ部材に関する。
【背景技術】
【０００２】
ねじ部材は、例えば、物品同士の固定や連結等のために種々の分野で用いられている。  また、工作機械、コンベア等の各種機械、本、書類等を収納するロッカーや棚類等の各種家具、各種ディスプレイ装置、テレビ、オーディオ装置等の各種電気電子機器などの物品を支持する物品支持脚の部品等として用いられることもある。
【０００３】
ここで物品支持脚とは、被支持物品に設けられた雌ねじ部位に螺合されて回されることで該雌ねじ部位下方への突出量が調整される雄ねじ棒と、該雄ねじ棒を立設した台座とを含み、該雄ねじ棒を被支持物品の雌ねじ部位に螺合させる一方、該台座を物品支持基体（物品設置床等）上に設置することで該物品を該物品支持基体上に支持する物品支持脚であり、該雄ねじ棒としてねじ部材が用いられている。
【０００４】
物品同士の固定や連結等のために種々の分野で用いられているねじ部材には、頂部にねじ回し具先端部のねじ回し部を係合させるねじ回し部係合凹所を有しているものが一般的であり、例えば、次のものを挙げることができる。
【０００５】
(1)ねじを形成した部分より大径の頭部又はねじを形成した部分と同径の頂部に一直線状のねじ回し部係合凹所を有し、所謂マイナスドライバを該凹所に係合させて回すことができる所謂マイナスねじ、
(2)ねじを形成した部分より大径の頭部又はねじを形成した部分と同径の頂部に十字状のねじ回し部係合凹を有し、所謂プラスドライバを該凹所に係合させて回すことができる所謂プラスねじ、
(3)頂部に平面から見て多角形の穴が形成されており、該穴に相似多角形断面の棒状のねじ回し具を嵌合係合させて回すことができるねじ部材（代表例として、所謂６角レンチで回すことができる６角穴付きボルト）。
【０００６】
前述の物品支持脚についてみると、それは次のようにして用いられる。
手作業で雄ねじ棒を被支持物品の雌ねじ部位に仮螺合させ、台座を物品支持基体（物品設置床等）に仮設置したあと、物品支持基体から被支持物品までの高さを最終的に所望のものに調整するために雄ねじ棒を回し操作するとき、雄ねじ棒上の回し具係合部にスパナ等の回し具を係合させ、該回し具で雄ねじ棒を回し操作する。
【０００７】
ところが、仮設置された物品支持脚の雄ねじ棒の回し具係合部が、被支持物品の下方或いは最下部等に位置するような場合、作業者はかがみ込んで雄ねじ棒下部に位置する回し具係合部に回し具を係合し、回し操作しなければならず、その作業は面倒であり、また、例えば、被支持物品の傍に他の物品が接近配置されているといったような狭い作業空間しかないような場合には、その作業は困難である。
【０００８】
特に、被支持物品が、例えば工場等におけるベルトコンベア等の重量物である場合、かがみ込んで雄ねじ棒下部に位置する回し具係合部に回し具を係合し、回し操作する作業、なかでも、該重量物を物品支持基体（物品設置床面等）から所定の高さに設置するために該重量物を持ち上げるように雄ねじ棒を回し操作する作業は面倒であり、困難である。
【０００９】
このため、特開２００８−２５７２１号公報には、該雄ねじ棒の回し操作、特に被支持物品を持ち上げるための回し操作を従来より簡単、容易に行える該雄ねじ棒のための回し補助具を開示している。
【００１０】
この回し補助具は、雄ねじ棒の自由上端部に螺着可能で該螺着状態で該螺着方向に回されると該雄ねじ棒が被支持物品持ち上げ方向に回される雌ねじ部及び該雌ねじ部に連設された回し具係合部とからなるものであり、これをその雌ねじ部で物品支持脚の雄ねじ棒の自由上端部に螺着しておくことで、上方から該回し補助具を介して雄ねじ棒を回し操作できる。
【００１１】
【特許文献１】特開２００８−２５７２１号公報
【発明の開示】
【発明が解決しようとする課題】
【００１２】
しかしながら、上記したマイナスねじ、プラスねじ、穴付きボルト（例えば６角穴付きボルト）等のねじ部材は、回し具のねじ回し部を該ねじ部材のねじ回し部係合凹所に嵌合係合して回し操作するとき、回し具への力の入れ方等によって、ねじ回し部が該凹所から滑り外れることがあり、そのとき凹所の上縁部等がねじ回し部に擦られて破損し、その後の該凹所へのねじ回し部の再係合及び（又は）再係合による回し操作が困難になることがある。
【００１３】
本発明者の研究では、前記物品支持脚における雄ねじについても、その頂部に直接、多角形の穴を形成しておき、該穴に相似多角形断面の棒状のねじ回し具を嵌合係合させて回すことができる（例えば、所謂６角レンチで回すことができる６角穴を形成しておくことで６角レンチで回すことができる）が、その場合でも、同様の問題が生じることがあり得る。
【００１４】
このような問題を解決するために、ねじ部材のねじ回し部係合凹所をマイナスねじ、プラスねじ、穴付きボルト（例えば６角穴付きボルト）等を得るべくねじ部材に形成したり、物品支持脚の雄ねじ棒等のねじ部材に形成するとき、該凹所をより深く形成するか、ねじ回し部係合凹所を形成するねじ部材をより硬い材料で形成することが考えられるが、いずれもそれだけ凹所形成コストや材料コストが高くついてしまう。
【００１５】
そこで本発明は、頂部にねじ回し具先端部のねじ回し部を係合させるねじ回し部係合凹所を有するねじ部材であって、該ねじ回し具によるねじ回し操作において、該ねじ回し具と共同して該ねじ回し部が該凹所から外れ難い状態を得ることができ、その割りには、製作費を安価に抑制できるねじ部材を提供することを第１の課題とする。
【００１６】
また本発明は、頂部にねじ回し具先端部のねじ回し部係合凹所を有するねじ部材の該凹所に係合させるねじ回し部を有するねじ回し具であって、ねじ回し操作において、該ねじ回し部が、該ねじ部材と共同して該ねじ部材の凹所から外れ難い状態を得ることができ、その割りにはねじ部材の製作費を安価に抑制できるねじ回し具を提供することを第２の課題とする。
【課題を解決するための手段】
【００１７】
本発明は前記第１の課題を解決するため、
頂部にねじ回し具先端部のねじ回し部を係合させる凹所を有するねじ部材であって、該凹所の底に、該ねじ回し具のねじ回し部から突出させた外れ止め突起を嵌合係合させるための穴を形成してあるねじ部材を提供する。
【００１８】
本発明は前記第２の課題を解決するため、
頂部にねじ回し具先端部のねじ回し部を係合させる凹所を有するねじ部材の該凹所に係合させるねじ回し部を有するねじ回し具であって、該ねじ回し部から突出した、前記凹所の底に形成された外れ止め突起嵌合係合用穴に嵌合係合させるための外れ止め突起を有しているねじ回し具を提供する。
【００１９】
本発明に係るねじ部材は本発明に係るねじ回し具により安定的に回し操作できる。逆に本発明に係るねじ回し具は本発明に係るねじ部材を安定的に回し操作できる。
この点についてさらに説明する。
【００２０】
本発明に係るねじ部材は、本発明に係るねじ回し具の先端部のねじ回し部をねじ部材頂部に形成された凹所に嵌合係合させるとともに該ねじ回し部から突出している外れ止め突起を該凹所底に形成された外れ止め突起嵌合係合用穴に嵌合係合させて該ねじ回し具により回し操作できる。
【００２１】
このねじ回し具によるねじ部材の回し操作においては、単に、ねじ回し具のねじ回し部がねじ部材頂部の凹所に嵌合係合するだけでなく、ねじ回し部から突出した外れ止め突起が該凹所底の外れ止め突起嵌合係合用穴に嵌合係合するので、該ねじ回し部は、それだけねじ部材頂部の凹所に、正しい嵌合係合姿勢や状態からの傾きや、滑りや、移動が生じ難い状態で安定的に嵌合係合した状態を維持し、それだけねじ部材を安定的に、確実に回し操作することができる。
【００２２】
本発明に係るねじ部材は、このように本発明に係るねじ回し具による回し操作において、該ねじ回し具のねじ回し部をねじ部材頂部の凹所に安定的に嵌合係合した状態を維持して、それだけ安定的に、確実に回し操作できる。従って、ねじ部材頂部の凹所底の穴にねじ回し具の外れ止め突起を嵌合係合させる手法を採用しない場合においてねじ回し部をねじ部材頂部の凹所に安定的に嵌合係合させようとすれば要するであろう凹所の深さより凹所を浅く形成でき、或いはねじ部材の材質をより安価なもので済ませることができ、或いはこれら両方を採用することができ、それだけねじ部材製作コストを安価に抑制できる。
【００２３】
また、ねじ回し部係合凹所を深く形成すると該凹所を形成した部分が弱体化する恐れがあるところ、本発明に係るねじ部材では、ねじ回し部係合凹所をこのように浅く形成しておけるので、その恐れが無いか、その恐れを少なくなくできる。
【００２４】
本発明に係るねじ部材は既述のとおり、
(1-1) ねじ回し具先端部のねじ回し部を係合させる凹所を有するねじ部材であって、該凹所の底に、該ねじ回し具のねじ回し部から突出させた外れ止め突起を嵌合係合させるための穴を形成してあるねじ部材であるが、このねじ部材として次のものを例示できる。
【００２５】
(1-2) 前記凹所は平面視多角形の凹所であり、該凹所底に前記外れ止め突起嵌合係合用穴  が形成されており、断面形状が該凹所の平面視多角形状に相似形状のねじ回し部を有するとともに該ねじ回し部から突出した外れ止め突起を有するねじ回し具の該ねじ回し部を該凹所に、外れ止め突起を該凹所底の穴にそれぞれ嵌合係合させて該ねじ回し具による回し操作を行えるねじ部材。
【００２６】
(1-3) 前記凹所は中心凹部と該中心凹部から放射状に突出する突出凹部とを含む凹所であり、該中心凹部底に前記外れ止め突起嵌合係合用穴が形成されており、断面形状が該凹所の平面視形状に相似形状のねじ回し部を有するとともに該ねじ回し部から突出した外れ止め突起を有するねじ回し具の該ねじ回し部を該凹所に、外れ止め突起を該中心凹部底の穴にそれぞれ嵌合係合させて該ねじ回し具による回し操作を行えるねじ部材。
【００２７】
(1-4) 前記凹所は平面視十字形状の凹所であり、該十字形状凹所の底に前記外れ止め突起嵌合係合用穴が形成されており、該十字形状凹所に係合可能のプラス型ねじ回し部を有するとともに該ねじ回し部から突出した外れ止め突起を有するねじ回し具の該ねじ回し部を該十字形状凹所に、外れ止め突起を該十字形状凹所底の穴にそれぞれ嵌合係合させて該ねじ回し具による回し操作を行えるねじ部材。
【００２８】
(1-5) 前記凹所は平面視一直線状の凹所であり、該一直線状凹所の底に前記外れ止め突起嵌合係合用穴が形成されており、該一直線状凹所に係合可能のマイナス型ねじ回し部を有するとともに該ねじ回し部から突出した外れ止め突起を有するねじ回し具の該ねじ回し部を該一直線状凹所に、外れ止め突起を該一直線状凹所底の穴にそれぞれ嵌合係合させて該ねじ回し具による回し操作を行えるねじ部材。
【００２９】
(1-6) 被支持物品に設けられた雌ねじ部位に螺合されて回されることで該雌ねじ部位下方への突出量が調整される雄ねじ棒と、該雄ねじ棒を立設した台座とを含み、該雄ねじ棒を被支持物品の雌ねじ部位に螺合させる一方、該台座を物品支持基体（物品設置床等）上に設置することで該物品を該物品支持基体上に支持する物品支持脚における該雄ねじ棒であり、前記凹所が該雄ねじ棒の頂部に形成されており、該凹所底に前記外れ止め突起嵌合係合用穴が形成されている上記(1-1) から(1-5) のいずれかに記載のねじ部材。
【００３０】
本発明に係るねじ回し具は既述のとおり、
(2-1) 頂部にねじ回し具先端部のねじ回し部を係合させる凹所を有するねじ部材の該凹所に係合させるねじ回し部を有するねじ回し具であって、該ねじ回し部から突出した、前記凹所の底に形成された外れ止め突起嵌合係合用穴に嵌合係合させるための外れ止め突起を有しているねじ回し具であるが、このねじ回し具として次のものを例示できる。
【００３１】
(2-2) 前記ねじ回し部は断面多角形状を呈しており、該ねじ回し部から前記外れ止め突起が突出しており、平面視形状が該ねじ回し部の断面多角形状に相似形状の凹所を頂部に有するとともに該凹所底に前記外れ止め突起を嵌合係合させる穴を形成したねじ部材の該凹所に該ねじ回し部を、該凹所底の穴に該外れ止め突起を嵌合係合させて該ねじ部材を回し操作できるねじ回し具。
【００３２】
(2-3) 前記ねじ回し部は中心部分と該中心部分から放射状に突出する突出部分とを含んでおり、該中心部分から前記外れ止め突起が突出しており、平面視形状が該ねじ回し部の断面形状に相似形状の凹所を頂部に有するとともに該凹所底に前記外れ止め突起を嵌合係合させる穴を形成したねじ部材の該凹所に該ねじ回し部を、該凹所底の穴に該外れ止め突起を嵌合係合させて該ねじ部材を回し操作できるねじ回し具。
【００３３】
(2-4) 前記ねじ回し部がプラスドイバ型ねじ回し具のプラス型ねじ回し部であり、該ねじ回し部先端から前記外れ止め突起が突出しており、平面視形状が十字形状を呈する凹所を頂部に有するとともに該凹所底に前記外れ止め突起を嵌合係合させる穴を形成したねじ部材の該凹所に該ねじ回し部を、該凹所底の穴に該外れ止め突起を嵌合係合させて該ねじ部材を回し操作できるねじ回し具。
【００３４】
(2-5) 前記ねじ回し部がマイナスドライバ型ねじ回し具のマイナス型ねじ回し部であり、該ねじ回し部先端から前記外れ止め突起が突出しており、平面視形状が一直線状を呈する凹所を頂部に有するとともに該凹所底に前記外れ止め突起を嵌合係合させる穴を形成したねじ部材の該凹所に該ねじ回し部を、該凹所底の穴に該外れ止め突起を嵌合係合させて該ねじ部材を回し操作できるねじ回し具。
【００３５】
(2-6) 被支持物品に設けられた雌ねじ部位に螺合されて回されることで該雌ねじ部位下方への突出量が調整される雄ねじ棒と、該雄ねじ棒を立設した台座とを含み、該雄ねじ棒を被支持物品の雌ねじ部位に螺合させる一方、該台座を物品支持基体（物品設置床等）上に設置することで該物品を該物品支持基体上に支持する物品支持脚における該雄ねじ棒であって、前記凹所が雄ねじ棒頂部に形成されており、該凹所底に前記外れ止め突起嵌合係合用穴が形成されているねじ部材を回し操作するためのねじ回し具であり、該凹所に係合させるねじ回し部を有するとともに該ねじ回し部から突出した、前記凹所の底に形成された外れ止め突起嵌合係合用穴に嵌合係合させるための外れ止め突起を有している上記(2-1) から(2-5) のいずれかに記載のねじ回し具。
【発明の効果】
【００３６】
以上説明したように本発明によると、頂部にねじ回し具先端部のねじ回し部を係合させるねじ回し部係合凹所を有するねじ部材であって、該ねじ回し具によるねじ回し操作において、該ねじ回し具と共同して該ねじ回し部が該凹所から外れ難い状態を得ることができ、その割りには、製作費を安価に抑制できるねじ部材を提供することができる。
【００３７】
また本発明によると、頂部にねじ回し具先端部のねじ回し部係合凹所を有するねじ部材の該凹所に係合させるねじ回し部を有するねじ回し具であって、ねじ回し操作において、該ねじ回し部が、該ねじ部材と共同して該ねじ部材の凹所から外れ難い状態を得ることができ、その割りにはねじ部材の製作費を安価に抑制できるねじ回し具を提供することができる。
【発明を実施するための最良の形態】
【００３８】
以下本発明の実施形態を図面を参照して説明する。
図１（Ａ）は本発明に係るねじ回し具の１例の正面図である。図１（Ｂ）は本発明に係るねじ部材の１例の正面図であり、図１（Ｃ）は図１（Ｂ）のねじ部材の平面図である。      
【００３９】
図１（Ａ）に示すねじ回し具１は、所謂マイナスドライバ型のねじ回し具であり、把手１１とこれから突出したドライバシャフト１２とからなっている。シャフト１２の先端部は偏平に形成され、下面側から見ると所定の厚みで一直線状に延びる、マイナス型のねじ回し部１２１となっている。さらに、ねじ回し部１２１の端面の中央部から断面円形の外れ止め突起１２２が一体的に突出している。
【００４０】
図１（Ｂ）及び図１（Ｃ）に示すねじ部材２は、ねじ回し具１にて回し操作できるもので、頂部を頭部２１とし、その下に一体的に雄ねじ部分２２を形成した頭付きボルト、或いは頭付きネジとも言えるねじ部材である。頭部２１には、図１（Ｃ）に示すように、平面視形状（平面から見た形状）が一直線状を呈する凹所２１１が形成されており、さらに凹所２１１の底の中心部に円形穴２１２が形成されている。
【００４１】
ねじ回し具１とねじ部材２によると、ねじ回し具１のマイナス型のねじ回し部１２１をねじ部材２の頭部（頂部）２１の一直線状の凹所２１１に嵌合係合させるとともに、ねじ回し部１２１から突出する外れ止め突起１２２を凹所底の穴２１２に嵌合係合させた状態で、ねじ回し具１にてねじ部材２を回して、ねじ部材２の雄ねじ部分２２に対応する図示省略の部材等の雌ねじ穴に該雄ねじ部分でねじ込んだり、逆に回して該穴から回し外すことができる。
【００４２】
図２（Ａ）は本発明に係るねじ回し具の他の例の正面図である。図２（Ｂ）は本発明に係るねじ部材の他の例の正面図であり、図２（Ｃ）は図２（Ｂ）のねじ部材の平面図である。
【００４３】
図２（Ａ）に示すねじ回し具３は、所謂プラスドライバ型のねじ回し具であり、把手３１とこれから突出したドライバシャフト３２とからなっている。シャフト３２の先端部は断面形状が、或いは下面側から見た形状が十字形状に形成されたプラス型のねじ回し部３２１となっている。さらに、ねじ回し部３２１の先端中央部から断面円形の外れ止め突起３２２が一体的に突出している。
【００４４】
図２（Ｂ）及び図２（Ｃ）に示すねじ部材４は、ねじ回し具３にて回し操作できるもので、頂部を頭部４１とし、その下に一体的に雄ねじ部分４２を形成した頭付きねじである。頭部４１には、図２（Ｃ）に示すように、平面視形状（平面から見た形状）が十字形状の凹所４１１が形成されており、さらに該凹所底の中心部に円形穴４１２が形成されている。
【００４５】
ねじ回し具３とねじ部材４によると、ねじ回し具３のプラス型のねじ回し部３２１をねじ部材４の頭部（頂部）４１の十字形状の凹所４１１に嵌合係合させるとともに、ねじ回し部３２１から突出する外れ止め突起３２２を凹所底の穴４１２に嵌合係合させた状態で、ねじ回し具３にてねじ部材４を回して、ねじ部材３の雄ねじ部分４２に対応する図示省略の部材等の雌ねじ穴に該雄ねじ部でねじ込んだり、逆に回して該穴から回し外すことができる。
【００４６】
図３（Ａ）は本発明に係るねじ回し具のさらに他の例の正面図である。図３（Ｂ）は図３（Ａ）のねじ回し具を下方から見た図である。図３（Ｃ）は本発明に係るねじ部材のさらに他の例の正面図であり、図３（Ｄ）は図３（Ｃ）に示すねじ部材の平面図である。図３（Ｅ）は本発明に係るねじ部材のさらに他の例の正面図である。
【００４７】
図３（Ａ）及び図３（Ｂ）に示す示すねじ回し具５は、所謂６角レンチ型のねじ回し具であり、断面正６角形の棒体５１をＬ字状に屈曲させ、該棒体の両端部５１ａ及び５１ｂをそれぞれねじ回し部として使用できるものである。ねじ回し部５１ａの端面の中央部から断面円形の外れ止め突起５１１が棒体部分と一体的に突出しているとともに、ねじ回し部５１ｂの端面の中央部から断面円形の外れ止め突起５１２が棒体部分と一体的に突出している。
【００４８】
図３（Ｃ）及び図３（Ｄ）に示すねじ部材６は、ねじ回し具５で回し操作できるものであり、頂部を頭部６１とし、その下に一体的に雄ねじ部分６２を形成した頭付きボルト、或いは頭付きネジとも言えるねじ部材である。頭部６１には、図３（Ｄ）に示すように、平面視形状（平面から見た形状）が正６角形状の凹所６１１が形成されており、さらに凹所６１１の底の中心部に円形穴６１２が形成されている。
【００４９】
図３（Ｅ）に示すねじ部材７も、ねじ回し具５で回し操作できるものであり、雄ねじ部分７２の頂部７１に平面視で正６角形状の凹所７１１が形成されているとともに、凹所７１１の底の中心部に円形穴７１２が形成されている。
【００５０】
ねじ回し具５とねじ部材６（又は７）によると、ねじ回し具５の断面正６角形状のねじ回し部５１ａ（又は５１ｂ）をねじ部材６（７）の頂部凹所６１１（７１１）に嵌合係合するとともに、該ねじ回し部から突出する外れ止め突起５１１（５１２）を該凹所６１１（７１１）底の穴６１２（７１２）に嵌合係合した状態で、ねじ回し具５にてねじ部材６（７）を回して、該ねじ部材の雄ねじ部分６２（７２）に対応する図示省略の部材等の雌ねじ穴に該雄ねじ部分でねじ込んだり、逆に回して該穴から回し外すことができる。
【００５１】
図４（Ａ）は本発明に係るねじ回し具のさらに他の例の正面図である。図４（Ｂ）は図４（Ａ）のねじ回し具を下方から見た図である。図４（Ｃ）は本発明に係るねじ部材のさらに他の例の正面図であり、図４（Ｄ）は図４（Ｃ）に示すねじ部材の平面図である。
【００５２】
図４（Ａ）及び図４（Ｂ）に示す示すねじ回し具１０は、把手１０１とこれから突出したドライバシャフト１０２とからなっている。シャフト１０２の先端部はねじ回し部１０３に形成されている。ねじ回し部１０３は、円形状の中心部分１０３１と該中心部分から放射状に突出する、この例では４個の突出部分１０３２とを含んでおり、中心部分１０３１の端面中央部から断面円形の外れ止め突起１０４が一体的に突設されている。
【００５３】
図４（Ｃ）及び図４（Ｄ）に示すねじ部材２０は、ねじ回し具１０で回し操作するものである。ねじ部材２０は、頂部を頭部２０１とし、その下に一体的に雄ねじ部分２０２を形成した頭付きボルトである。頭部２０１には、図４（Ｄ）に示すように、平面視形状（平面から見た形状）がねじ回し具１０のねじ回し部１０３の断面形状に相似形状の凹所２０１１が形成されているとともに、凹所２０１１底の中央部に円形穴２０１２が形成されている。                                                
【００５４】
ねじ回し具１０とねじ部材２０によると、ねじ回し具５のねじ回し部１０３をねじ部材２０の頭部２０１の凹所２０１１に嵌合係合させるとともに、ねじ回し具５の外れ止め突起１０４を凹所２０１１底の穴２０１２に嵌合係合させた状態で、ねじ回し具１０にてねじ部材２０を回して、該ねじ部材の雄ねじ部分２０２に対応する図示省略の部材等の雌ねじ穴に該雄ねじ部分でねじ込んだり、逆に回して該穴から回し外すことができる。
【００５５】
図５は物品支持脚の１例９と、その部品であるねじ部材（雄ねじ棒）９１を回し操作するためのねじ回し具８を示している。雄ねじ棒９１は本発明に係るねじ部材のさらに他の例であり、ねじ回し具８は本発明に係るねじ回し具のさらに他の例である。
【００５６】
物品支持脚９は、雄ねじ棒９１と、雄ねじ棒９１を立設した台座９２とを含んでいる。  雄ねじ棒９１は雄ねじ部９１１、雄ねじ部９１１の下に一体的に連設されたレンチ係合部を兼ねるフランジ部９１２及びフランジ部９１２の下に一体的に連設された台座嵌合部９１３を有している。
【００５７】
レンチ係合部を兼ねるフランジ部９１２は平面から見ると外輪郭が６角形であり、スパナ等のレンチ（回し具）を係合して回すことができる。台座嵌合部９１３は断面円形の部分であり、雄ねじを周設してある。
【００５８】
台座９２は台座嵌合部９１３を上下方向に遊嵌貫通させる孔９２１及び該孔の下に連設された台座嵌合部受入れ凹所９２２を有している。
雄ねじ棒９１は、その台座嵌合部９１３が台座孔９２１からその下の凹所９２２へ通され、該凹所に位置する抜け止め部材９３にて台座９２から抜け止めされ、台座９２に連結されている。フランジ部９１２は台座９２の頂面に摺動回動可能に着座することができる。
【００５９】
抜け止め部材９３は、本例ではナット９３であり、雄ねじが周設された断面円形の台座嵌合部９１３の下端部に、ナット９３の雌ねじ及び台座嵌合部の雄ねじを圧潰しつつ圧入されている。
【００６０】
抜け止め部材はかかる圧入される部材９３に限定されるものではなく、台座嵌合部に周設した溝に着脱可能のＣ型、Ｅ型等の所謂スナップリングからなる抜け止め部材、かかるスナップリングとその上側で台座嵌合部に嵌合されるリング部材とからなる抜け止め部材、台座嵌合部に螺合される雌ねじ部材等の各種抜け止め部材を採用できる。
【００６１】
ここで雄ねじ棒９１の頂部９１４には平面視形状が正６角形の凹所Ｒｈが形成されており、さらに、該凹所底の中心部に断面円形穴Ｂｈが形成されている。
【００６２】
ねじ回し具８は、図３（Ａ）及び図３（Ｂ）に示すものと同じ６角レンチ型のねじ回し具であり、断面正６角形の棒体８１をＬ字状に屈曲させ、該棒体の両端部８１ａ及び８１ｂをそれぞれねじ回し部として使用できるものである。ねじ回し部８１ａの端面の中央部から断面円形の外れ止め突起８１１が棒体部分と一体的に突出しているとともに、ねじ回し部８１ｂの端面の中央部から断面円形の外れ止め突起８１２が棒体部分と一体的に突出している。
【００６３】
物品支持脚９は例えば次のようにして被支持物品Ｗの支持に利用できる。
雄ねじ棒９１の雄ねじ部９１１を被支持物品Ｗの雌ねじ部位Ｓに螺合する一方、台座２を物品支持基体（物品設置床等）Ｆ上に設置する。
【００６４】
本例ではこの仮設置状態で雄ねじ棒９１の上部が被支持物品Ｗの雌ねじ部位Ｓより上方へ突出しており、この雄ねじ棒上部の頂部９１４に物品Ｗの開口部分Ｈを通して外部から接近できる状態にある。
【００６５】
雄ねじ棒９１はレンチ係合部９１２に図示省略のスパナ等のレンチを係合させて該レンチで回し操作することで、被支持物品Ｗを物品支持基体Ｆから持ち上げ、或いは下降させるなどして所望の高さに調整できる。しかし、そのような回し操作を行うにあたって作業者が屈み込む等の姿勢をとらなければならないとか、レンチ係合部周囲のスペースが狭くて該係合部にレンチを係合して回すことは不可能或いは困難である等の場合には、次のようにして、より楽に、簡単に雄ねじ棒９１を回し操作できる。
【００６６】
すなわち、ねじ回し具８を該開口部分から雄ねじ棒頂部９１４へ向け差し入れ、そのねじ回し部８１ａ（又は８１ｂ）を頂部凹所Ｒｈに嵌合係合するとともに、ねじ回し部８１ａ（８１ｂ）から突出する外れ止め突起８１１（８１２）を凹所底の穴Ｂｈに嵌合係合し、該ねじ回し具８を回すことで、雄ねじ棒９１を回し操作して、被支持物品Ｗを物品支持基体Ｆから持ち上げ、或いは下降させるなどして所望の高さに調整できる。
【００６７】
なお、図においてＮは、必要に応じて雄ねじ棒９１に螺合されるロックナットである。  図示の物品支持脚９は１例にすぎず、例えば、次のような物品支持脚であってもよい。      
【００６８】
(1) 図５に示す物品支持脚において雄ねじ棒９１の台座嵌合部９１３をより長く形成し、フランジ部９１２と台座９２との間で、台座嵌合部９１３に周設した雄ねじ（図示省略）にナット（図示しょうりゃく）を螺合させた物品支持脚。
(2) 図５の物品支持脚において雄ねじ棒９１の台座嵌合部９１３をより長く形成し、台座９２の頂面上にフランジ部９１２を受けるスラストベアリング（図示省略）を配置した物品支持脚。
(3) 図５の物品支持脚において、台座９２の頂部に凹所を設け、そこにフランジ部９１２を受けるスラストベアリング（図示省略）を配置した物品支持脚。
【００６９】
以上説明したねじ部材２、４、６、７、２０、９１はねじ回し具１、３、５、１０、８でそれぞれ安定的に回し操作でき、換言すれば、以上説明したねじ回し具１、３、５、１０、８はねじ部材２、４、６、７、２０、９１をそれぞれ安定的に回し操作できる。
【００７０】
すなわち、ねじ部材２、４、６、７、２０、９１のそれぞれは、ねじ回し具１、３、５、１０、８のうち対応するもののねじ回し部をねじ部材頂部に形成された凹所に嵌合係合させるとともに該ねじ回し部から突出している外れ止め突起を該凹所底に形成された外れ止め突起嵌合係合用穴に嵌合係合させて該ねじ回し具により回し操作できる。
【００７１】
このねじ回し具によるねじ部材の回し操作においては、単に、ねじ回し具のねじ回し部がねじ部材頂部の凹所に嵌合係合するだけでなく、ねじ回し部から突出した外れ止め突起が該凹所底の外れ止め突起嵌合係合用穴に嵌合係合するので、該ねじ回し部は、それだけねじ部材頂部の凹所に、正しい嵌合係合姿勢や状態からの傾きや、滑りや、移動が生じ難い状態で安定的に嵌合係合した状態を維持し、それだけねじ部材を安定的に、確実に回し操作することができる。
【００７２】
ねじ部材２、４、６、７、２０、９１のそれぞれは、ねじ回し具１、３、５、１０、８のうち対応するものによる回し操作において、該ねじ回し具のねじ回し部をねじ部材頂部の凹所に安定的に嵌合係合した状態を維持して、それだけ安定的に、確実に回し操作できる。従って、ねじ部材頂部の凹所底の穴にねじ回し具の外れ止め突起を嵌合係合させる手法を採用しない場合においてねじ回し部をねじ部材頂部の凹所に安定的に嵌合係合させようとすれば要するであろう凹所の深さより凹所を浅く形成でき、或いはねじ部材の材質をより安価なもので済ませることができ、或いはこれら両方を採用することができ、それだけねじ部材製作コストを安価に抑制できる。
【００７３】
例えば、ねじ部材頂部の凹所底の穴にねじ回し具の外れ止め突起を嵌合係合させる手法を採用しない場合においては、ねじ回し部係合用凹所をそれほど深く形成しないで済ませようとすると、ねじ部材材料として硬いクロームモリブデン鋼ＳＣＭ＊＊＊（例えばＳＣＭ３０１、ＳＣＭ３０２等）を採用しなければならないところを、ねじ部材２、４、６、７、２０、９１等の本発明に係るねじ部材では、より安価な機械構造用炭素鋼材Ｓ＊＊Ｃ（例えばＳ４５Ｃ等）で済ませたり、また、機械構造用炭素鋼材Ｓ＊＊Ｃを採用しなければならないところを、より安価な一般構造用圧延鋼材ＳＳ＊＊（例えばＳＳ４１等）で済ませたりすることができる。
【００７４】
また、ねじ回し部係合凹所を深く形成すると該凹所を形成した部分が弱体化する恐れがあるところ、ねじ部材２、４、６、７、２０、９１では、ねじ回し部係合凹所をこのように浅く形成しておけるので、その恐れが無いか、その恐れを少なくなくできる。
【図面の簡単な説明】
【００７５】
【図１】図１（Ａ）は本発明に係るねじ回し具の１例の正面図であり、図１（Ｂ）は本発明に係るねじ部材の１例の正面図であり、図１（Ｃ）は図１（Ｂ）のねじ部材の平面図である。
【図２】図２（Ａ）は本発明に係るねじ回し具の他の例の正面図であり、図２（Ｂ）は本発明に係るねじ部材の他の例の正面図であり、図２（Ｃ）は図２（Ｂ）のねじ部材の平面図である。
【図３】図３（Ａ）は本発明に係るねじ回し具のさらに他の例の正面図であり、図３（Ｂ）は図３（Ａ）のねじ回し具を下方から見た図であり、図３（Ｃ）は本発明に係るねじ部材のさらに他の例の正面図であり、図３（Ｄ）は図３（Ｃ）に示すねじ部材の平面図であり、図３（Ｅ）は本発明に係るねじ部材のさらに他の例の正面図である。
【図４】図４（Ａ）は本発明に係るねじ回し具のさらに他の例の正面図であり、図４（Ｂ）は図４（Ａ）のねじ回し具を下方から見た図であり、図４（Ｃ）は本発明に係るねじ部材のさらに他の例の正面図であり、図４（Ｄ）は図４（Ｃ）に示すねじ部材の平面図である。
【図５】物品支持脚の１例と、その部品であるねじ部材（雄ねじ棒）を回し操作するためのねじ回し具を示す図である。
【符号の説明】
【００７６】
１  ねじ回し具
１１  把手
１２  ドライバシャフト
１２１  ねじ回し部
１２２  外れ止め突起
１２２が一体的に突出している。
２  ねじ部材
２１  頂部（頭部）
２１１  凹所
２１２  凹所底の穴
２２  雄ねじ部分
３  ねじ回し具
３１  把手
３２  ドライバシャフト
３２１  ねじ回し部
３２２  外れ止め突起
４  ねじ部材
４１  頂部（頭部）
４１１  凹所
４１２  凹所底の穴
４２  雄ねじ部分
５  ねじ回し具
５１  棒体
５１ａ、５１ｂ  ねじ回し部（棒体端部）
５１１、５１２  外れ止め突起
６  ねじ部材
６１  頂部（頭部）
６１１  凹所
６１２  凹所底の穴
６２  雄ねじ部分
７  ねじ部材
７１  頂部
７１１  凹所
７１２  凹所底の穴
１０  ねじ回し具
１０１  把手
１０２  ドライバシャフト
１０３  ねじ回し部
１０３１  中心部分
１０３２  突出部分
１０４  外れ止め突起
２０  ねじ部材
２０１  頂部（頭部）
２０２  雄ねじ部分
２０１１  凹所
２０１２  凹所底穴
８  ねじ回し具
８１  棒体
８１ａ、８１ｂ  棒体端部（ねじ回し部）
８１１、８１２  外れ止め突起
９  物品支持脚
９１  ねじ部材（雄ねじ棒）
９１４  頂部
Ｒｈ  凹所
Ｂｈ  凹所底穴
９２  台座
Ｗ  被支持物品
Ｓ  雌ねじ部位
Ｆ  物品支持基体（物品設置床等）
Ｎ  ロックナット
【図１】
2010084931.tif 000003
【図２】
2010084931.tif 000004
【図３】
2010084931.tif 000005
【図４】
2010084931.tif 000006
【図５】
2010084931.tif 000007